(57)【特許請求の範囲】
【請求項１】
温水器本体の底部に複数個の脚を設け、この脚を床面に固定したアンカーボルトに締結具を用いて締め付け固定するものにおいて、前記脚は背面板と底板とを有して構成されると共に、この脚の背面板と底板とに渡って背面板側スリットと底板側スリットとを連続して設け、前記アンカーボルト及び締結具は、背面板側スリットを通過させ、前記底板側スリットの奥部にアンカーボルトを突当てて締結具により締め付け固定するようにし、前記底板側スリットには、脚を介して温水器本体を輸送用パレット上に載置し固定するための輸送用固定孔が穿設されていることを特徴とする温水器の据付装置。
【請求項２】
温水器本体の底部に複数個の脚を設け、この脚を床面に固定したアンカーボルトに締結具を用いて締め付け固定するものにおいて、前記脚は背面板と底板とを有して構成されると共に、この脚の背面板と底板とに渡って背面板側スリットと底板側スリットとを連続して設け、前記アンカーボルト及び締結具は、背面板側スリットを通過させ、前記底板側スリットは、手前の幅寸法が背面板側スリットの幅寸法と略同じ寸法で、奥部の幅寸法が手前の幅寸法よりも狭く形成され、前記アンカーボルトを底板側スリットの奥部に突当てて締結具により締め付け固定するようにし、さらに、前記底板側スリットには脚を介して温水器本体を輸送用パレット上に載置し固定するための輸送用固定孔が穿設されていることを特徴とする温水器の据付装置。
【請求項３】
前記底板側スリットの奥部の幅寸法は、前記アンカーボルトの外径寸法よりも僅かに広い寸法であることを特徴とする請求項１または２に記載の温水器の据付装置。
【発明の詳細な説明】
【０００１】
【発明の属する技術分野】
本発明は、温水器本体の床面への据付、取外しを容易とし、さらに、輸送時の温水器本体と輸送用パレットのがたつきを極力少なくした温水器の据付装置に関する。
【０００２】
【従来の技術】
従来、温水器の据付装置は、例えば特開２０００-５５４７６号公報に記載されているように、温水器本体の底部に複数個の設置脚を取り付け、この設置脚は前面を開放した箱状に形成されると共に、底板と背面板とに渡ってスリットを設けてあり、このスリットをアンカーボルトに挿通させ締結具で締け付けることにより、設置脚をアンカーボルトに固定するようにしていた。
【０００３】
【発明が解決しようとする課題】
しかしながら、前記のように構成した温水器の据付装置では、スリットの幅寸法がアンカーボルトの外径寸法より僅かに広く形成されていたので、温水器本体を床面に沿ってスライドさせながらスリットにアンカーボルトを通過させるときに、複数のアンカーボルトの位置に複数のスリットを合わせることが非常に困難であり、また、締結具（ナット）をアンカーボルトに仮止めにしたままの状態ではスリットを通過することができなかった。このため、温水器本体を取外すときには締結具（ナット）をアンカーボルトから完全に取外さなければならず、締結具（ナット）やアンカーボルトが錆付いてしまったときには、締結具（ナット）をアンカーボルトから完全に取外すのは非常に困難であった。
【０００４】
本発明は、このような点に鑑みなされたもので、温水器本体の床面への据付、取外しを容易とし、さらに、輸送時の温水器本体と輸送用パレットのがたつきを極力少なくした温水器の据付装置を提供することを目的とする。
【０００５】
【課題を解決するための手段】
上記目的を達成するために、請求項１に記載の発明は、温水器本体の底部に複数個の脚を設け、この脚を床面に固定したアンカーボルトに締結具を用いて締め付け固定するものにおいて、前記脚は背面板と底板とを有して構成されると共に、この脚の背面板と底板とに渡って背面板側スリットと底板側スリットとを連続して設け、前記アンカーボルト及び締結具は、背面板側スリットを通過させ、前記底板側スリットの奥部にアンカーボルトを突当てて締結具により締め付け固定するようにし、前記底板側スリットには、脚を介して温水器本体を輸送用パレット上に載置し固定するための輸送用固定孔が穿設されていることを特徴とする。
【０００６】
請求項２に記載の発明は、温水器本体の底部に複数個の脚を設け、この脚を床面に固定したアンカーボルトに締結具を用いて締め付け固定するものにおいて、前記脚は背面板と底板とを有して構成されると共に、この脚の背面板と底板とに渡って背面板側スリットと底板側スリットとを連続して設け、前記アンカーボルト及び締結具は、背面板側スリットを通過させ、前記底板側スリットは、手前の幅寸法が背面板側スリットの幅寸法と略同じ寸法で、奥部の幅寸法が手前の幅寸法よりも狭く形成され、前記アンカーボルトを底板側スリットの奥部に突当てて締結具により締め付け固定するようにし、さらに、前記底板側スリットには脚を介して温水器本体を輸送用パレット上に載置し固定するための輸送用固定孔が穿設されていることを特徴とする。
【０００７】
【０００８】
請求項３に記載の発明は、請求項１または２に記載の温水器の据付装置において、前記底板側スリットの奥部の幅寸法は、前記アンカーボルトの外径寸法よりも僅かに広い寸法であることを特徴とする。
【０００９】
【発明の実施の形態】
以下、本発明の実施形態について図１ないし図６を参照して説明する。
【００１０】
図１は温水器の外観正面図、図２は脚の斜視図、図３は温水器の据付装置の据付け過程を説明するための要部側面図、図４は温水器の据付装置の据付け過程を説明するための要部斜視図、図５は温水器の据付装置の据付け状態を示す要部斜視図、図６は温水器本体を輸送用パレット上に載置し固定した状態を説明するための要部斜視図である。
【００１１】
図１において、１は温水器本体、２は蒸気逃がし弁点検扉、３は電源ボックスカバー、４は脚で温水器本体１の底部の前側に２箇所設けられている。５は後脚で温水器本体１の底部の後側に１箇所設けられ、後脚固定具５Ａにより挟持される。そして、前側の脚４は前面を開放し、底板８と両側板１１，１１及び背面板７とから縦長箱状に形成されている。また、前記背面板７と底板８とに渡って背面板側スリット９と底板側スリット１０が連続して設けられている。
【００１２】
そして、背面板側スリット９の幅寸法は約２８ｍｍであり、高さ寸法は約５０ｍｍである。このため、背面板側スリット９の大きさは、外径寸法が約１２ｍｍで床面からの突出寸法が約３０ｍｍのアンカーボルトにナット（締結具）２１を取り付けた状態でもそれらを通過できる寸法となっている。
【００１３】
また、底板側スリット１０は、この底板側スリット１０の手前側、即ち、背面板側スリット９と交わる側では、幅寸法Ｈは約２８ｍｍと背面板側スリット９の幅寸法と同じ寸法になっている。そして、底板側スリット１０の奥部１０Ｂの幅寸法Ｈ１は約１８ｍｍで手前側の幅寸法Ｈよりも狭く、アンカーボルト２０の外径寸法Ｄよりも僅かに広い幅寸法となっている。
【００１４】
また、底板側スリット１０には、脚４を介して温水器本体１を輸送用パレット２４上に載置し固定するための輸送用固定孔１０Ａが穿設されている。そして、梱包時には温水器本体１を梱包用孔（図示せず）を設けた輸送用パレット２４上に載置し、脚４に穿設されている輸送用固定孔１０Ａと輸送用パレット２４に設けられている梱包用孔を合致させ、そして、輸送用パレット２４の下部より梱包用孔に梱包用ボルト２２を挿入し、底板側スリット１０を覆うように側板１１Ａ、１１Ａの間に介在される梱包用板ナット２３を底板８の上に設置して、梱包用ボルト２２を締めつけることによって脚４と輸送用パレット２４が締結されるものである（図６参照）。
【００１５】
前述のように、脚４と輸送用パレット２４とは固定されるので、輸送時には、温水器本体１と輸送用パレット２４とは殆どガタツクことがなく安全に輸送される。
【００１６】
次に、温水器を床面に据付けるときの手順について説明する。
【００１７】
まず、図３、図４に示されるように床面６にアンカーボルト２０を埋込み、ナット２１をアンカーボルト２０の中間部まで挿入しておく。次に温水器本体１を床面６に置き、温水器本体１を浮かせることなく矢印（⇒）の方向にスライドさせながら脚４と背面板側スリット９との位置を合わせ、脚４の背面板側スリット９をアンカーボルト２０に挿通させ、アンカーボルト２０が底板側スリット１０の奥部１０Ｂに突き当たるまで温水器本体１を押込む。これにより温水器本体１の後方へのずれが防止される。次に図５に示されるように、アンカーボルト２０の中間部まで挿入されていたナット２１を最後まで締め付け、温水器本体１の据付け工事が完了する。
【００１８】
また、温水器本体１をアンカーボルト２０から取り外すときには、アンカーボルト２０に締めつけてあるナット２１を取り外す必要がなく、アンカーボルト２０が錆付いたときなどはナット２１を少し緩めるだけよいので容易に温水器本体１を取り外すことができる。
【００１９】
【発明の効果】
以上説明したように、請求項１記載の温水器の据付装置によれば、温水器本体の底部に複数個の脚を設け、この脚を床面に固定したアンカーボルトに締結具を用いて締め付け固定するものにおいて、前記脚は背面板と底板とを有して構成されると共に、この脚の背面板と底板とに渡って背面板側スリットと底板側スリットとを連続して設け、前記アンカーボルト及び締結具は、背面板側スリットを通過させ、前記底板側スリットの奥部にアンカーボルトを突当てて締結具により締め付け固定するようにし、前記底板側スリットには、脚を介して温水器本体を輸送用パレット上に載置し固定するための輸送用固定孔が穿設されている構成であるから、温水器本体を床面に据付けるとき、温水器を床面から浮かせることなく床面に沿ってスライドさせながら脚のスリットにアンカーボルトを挿通させることができ、据付け工事が容易に行える。また、温水器本体を取り外すときには、アンカーボルトに締めつけてあるナットをアンカーボルトから取り外す必要がなく、アンカーボルトが錆付いたときなどはナットを少し緩めるだけよいので容易に温水器本体を取り外すことができる。また、梱包時には輸送用固定孔を利用することにより、輸送時の温水器本体と輸送用パレットのがたつきを極力少なくすることができる。
【００２０】
請求項２記載の温水器の据付装置によれば、温水器本体の底部に複数個の脚を設け、この脚を床面に固定したアンカーボルトに締結具を用いて締め付け固定するものにおいて、前記脚は背面板と底板とを有して構成されると共に、この脚の背面板と底板とに渡って背面板側スリットと底板側スリットとを連続して設け、前記アンカーボルト及び締結具は、背面板側スリットを通過させ、前記底板側スリットは、手前の幅寸法が背面板側スリットの幅寸法と略同じ寸法で、奥部の幅寸法が手前の幅寸法よりも狭く形成され、前記アンカーボルトを底板側スリットの奥部に突当てて締結具により締め付け固定するようにし、さらに、前記底板側スリットには脚を介して温水器本体を輸送用パレット上に載置し固定するための輸送用固定孔が穿設されている構成であるから、請求項１の効果に加え、温水器本体を床面に据付けるとき、スリットとアンカーボルトの位置合わせを簡単に行うことができ、据付け工事を一層容易に行える。
【００２１】
【００２２】
請求項３に記載の温水器の据付装置によれば、前記底板側スリットの奥部の幅寸法は、前記アンカーボルトの外径寸法よりも僅かに広い寸法であるので、一度脚をアンカーボルトに固定してしまえばその後の温水器本体のガタツキをできるだけ少なくすることができる。
【図面の簡単な説明】
【図１】  本発明の一実施の形態を示す温水器の据付装置の外観正面図である。
【図２】  同じく温水器の脚の斜視図である。
【図３】  同じく温水器の据付装置の据付け過程を説明するための要部側面図である。
【図４】  同じく温水器の据付装置の据付け過程を説明するための要部斜視図である。
【図５】  同じく温水器の据付装置の据付け状態を示す要部斜視図である。
【図６】  同じく温水器を輸送用パレット上に載置し固定した状態を説明する要部斜視図である。
【符号の説明】
１      温水器本体
４      脚
６      床面
７      背面板
８      底板
９      背面板側スリット
１０    底板側スリット
１０Ａ  輸送用固定孔
１０Ｂ  奥部
２０    アンカーボルト
２１    ナット（締結具）
２４    輸送用パレット
Ｈ      底板側スリット手前の幅寸法
Ｈ１    底板側スリット奥部の幅寸法
【図１】
0003851186.tif 000002
【図２】
0003851186.tif 000003
【図３】
0003851186.tif 000004
【図４】
0003851186.tif 000005
【図５】
0003851186.tif 000006
【図６】
0003851186.tif 000007